(57)【要約】【課題】  デジタル放送で送信されるデータにより表示されたGUI上で、予約操作が可能なオブジェクトが存在する場合に、そのオブジェクトにより予約可能な番組がユーザーの嗜好に一致するかどうかを通知することを目的とする。【解決手段】  オブジェクト解析部がデータを解析した結果、オブジェクトのいずれかが、ユーザー操作により番組予約を行うことが可能なオブジェクト（予約実行オブジェクト）の場合、予約関連データ取得部は、予約実行オブジェクトが予約を行う番組の特徴を示す情報（番組特徴情報）を取得する。予約関連データ取得部は、前記番組特徴情報をユーザー嗜好判定部に通知する。ユーザー嗜好判定部は、前記番組特徴情報と、ユーザー嗜好入力部から取得したユーザー嗜好情報が一致しているかどうかを判定して、前記オブジェクト加工部がオブジェクトの強調表示を行う。【選択図】  図１
2006108829.tif 000002
【特許請求の範囲】
【請求項１】
多重化された映像信号、音声信号、データを分離する多重信号分離部と、
前記多重信号分離部により分離されたデータを解析し、複数のオブジェクトからなるGUIを作成するデータ解析部と、
前記オブジェクトを解析し、予約実行オブジェクトを抽出するオブジェクト解析部と、
前記予約実行オブジェクトから予約が可能な番組を選択し、前記番組に関する番組特徴情報を取得する予約関連データ取得部と、
ユーザーの嗜好情報を入力するユーザー嗜好入力部と、
前記予約関連データ取得部から得られる番組特徴情報と前記ユーザー嗜好入力部から得られるユーザーの嗜好情報が一致しているかを判定するユーザー嗜好判定部と、
前記ユーザー嗜好判定部から得られる判定結果に基づいて前記オブジェクトを加工するオブジェクト加工部と、
前記多重信号分離部から出力される前記映像信号を処理して映像を出力する映像信号処理部と、
前記映像信号処理部から出力された映像と前記オブジェクト加工部から出力されたGUIを合成する映像合成部を有し、
前記予約実行オブジェクトは前記ユーザー嗜好判定部における判定に基づいて表示がされることを特徴とするデジタル放送受信装置
【請求項２】
請求項１記載のデジタル放送受信装置において、前記オブジェクト加工部は、前記予約実行オブジェクトを加工するだけでなく、新規にオブジェクトを追加することを特徴とするデジタル放送受信装置
【請求項３】
請求項１記載のデジタル放送受信装置において、前記オブジェクト加工部は、効果音の加工、または追加も可能であることを特徴としたデジタル放送受信装置。
【請求項４】
請求項１記載のデジタル放送受信装置において、前記オブジェクト解析部は、各オブジェクトのサブリンク内のオブジェクトも解析することを特徴としたデジタル放送受信装置。
【請求項５】
請求項１記載のデジタル放送受信装置において、前記予約実行オブジェクトに番組特徴情報が付加されており、前記番組特徴情報を、前記予約関連データ取得部が前記予約実行オブジェクトから予約が可能な番組の番組特徴情報の代わりとして用いることにより、予約実行オブジェクトに付加された番組特徴情報とユーザーの嗜好情報に基づいて、オブジェクトを加工して表示することを特徴とするデジタル放送受信装置。
【請求項６】
請求項１記載のデジタル放送受信装置において、前記予約実行オブジェクトから予約可能となる番組がすでに予約済みかを判定する予約スケジュール管理部を有し、予約状態に応じて前記オブジェクトを加工して表示することを特徴とするデジタル放送受信装置。
【請求項７】
請求項１記載のデジタル放送受信装置において、前記ユーザー嗜好判定部が前記番組特徴情報と前記ユーザー嗜好入力部から取得したユーザー嗜好情報が一致していると判定したときに、前記オブジェクト加工部が前記オブジェクトの強調表示を行うことを特徴とするデジタル放送受信装置。
【発明の詳細な説明】
【技術分野】
【０００１】
本発明は、映像、音声に加え、データを処理可能なデジタル放送受信装置に関するものである。
【背景技術】
【０００２】
一般にデジタル放送の放送信号の中には、映像信号や音声信号の他に、BML(Broadcast Markup Language)などの記述言語で記述されるデータが含まれている。データ放送を処理可能なデジタル放送受信装置は、このデータの記述を解析し、複数のオブジェクト（ユーザーが選択可能なボタン、テキスト、スライダ、プルダウンメニュー等を含む全ての図形）からなるGUI(Graphical User Interface)を作成することが可能である。
【０００３】
前記データにより作成されるGUIを操作することにより、ユーザーは、例えば気象情報や最新のニュース、現在視聴中の番組に関連する情報（スポーツ番組の場合、スポーツ選手の成績等）を知ることが可能になり、また、関連する番組の選局や、予約登録を容易に行うことも可能になる。
近年は大量の番組録画が可能な大容量のHDDレコーダが普及し、従来と異なり特定の番組を録画するだけでなく、大量の番組を録画し、その中から気に入った番組だけを視聴する視聴スタイルが可能になっている。
【０００４】
大量の番組の録画予約を行う際には、ユーザーが複数の番組の中から容易に、かつ効率的に番組の予約を行うことが必要になり、上記のようなGUI上からの予約登録方法が重要になると考えられる。
【０００５】
番組の予約に関する従来技術として例えば、特許文献１には関連番組の予約に関する情報の表示に係る発明が開示されている。
【０００６】
【特許文献１】特開２００２−１７１４５５
【発明の開示】
【発明が解決しようとする課題】
【０００７】
GUI上で番組の予約を行う場合、GUI上で表示される情報は表示スペースなどにより限られているため、その番組がユーザーにとって視聴する価値があるかは限られた情報からしか判断できない。
その際に、例えば「おすすめ番組情報」⇒「録画予約」⇒「予約確認」といった複数の階層のメニューを選択することによって、詳細な番組情報を取得できる可能性はあるが、複数の操作が必要な上、詳細な番組情報を確認した結果、予約する価値の無い番組と判断した場合、途中までの操作は無駄になり、また元のTV画面に戻るために再度複数の操作が必要になる場合もある。
【０００８】
それに加え、操作を行っている間は、現在視聴中の番組の映像がGUIによって隠される場合や、操作により番組に集中できない可能性もある。
【０００９】
本発明は上記の点に鑑みてなされたものであり、GUI上にユーザーが操作を行うことにより番組の予約が可能になるオブジェクトが存在する場合に、そのオブジェクトにより予約可能な番組がユーザーの嗜好に一致するかどうかを、ユーザーに対して通知することを目的とする。
【課題を解決するための手段】
【００１０】
本発明に従うデジタル放送受信装置は、多重化された映像信号、音声信号、データを分離する多重信号分離部と、前記多重信号分離部により分離されたデータを解析し、複数のオブジェクトからなるGUIを作成するデータ解析部と、前記オブジェクトを解析し、予約実行オブジェクトを抽出するオブジェクト解析部と、前記予約実行オブジェクトから予約が可能な番組を選択し、前記番組に関する番組特徴情報を取得する予約関連データ取得部と、ユーザーの嗜好情報を入力するユーザー嗜好入力部と、前記予約関連データ取得部から得られる番組特徴情報と前記ユーザー嗜好入力部から得られるユーザーの嗜好情報が一致しているかを判定するユーザー嗜好判定部と、前記ユーザー嗜好判定部から得られる判定結果を元に前記オブジェクトを加工するオブジェクト加工部と、前記多重信号分離部から出力される前記映像信号を処理して映像を出力する映像信号処理部と、前記映像信号処理部から出力された映像と前記オブジェクト加工部から出力されたGUIを合成する映像合成部と、を備える。
【００１１】
また、上記とは別の実施形態では、前記オブジェクト加工部は、前記予約実行オブジェクトを加工するだけでなく、新規にオブジェクトを追加することも可能である。
【００１２】
また、上記とは別の実施形態では、前記オブジェクト加工部は、効果音の加工、または追加も可能である。
【００１３】
また、上記とは別の実施形態では、前記オブジェクト解析部が、各オブジェクトのサブリンク内のオブジェクトも解析する。
【００１４】
また、上記とは別の実施形態では、前記予約実行オブジェクトに番組特徴情報が付加されており、前記番組特徴情報を、前記予約関連データ取得部が前記予約実行オブジェクトから予約が可能な番組の番組特徴情報の代わりとして用いることにより、予約実行オブジェクトに付加された番組特徴情報とユーザーの嗜好情報を元にオブジェクトを加工する。
【００１５】
更に、上記とは別の実施形態では、前記予約実行オブジェクトから予約可能となる番組がすでに予約済みかを判定する予約スケジュール管理部を有し、予約状態に応じてオブジェクトを加工する。
【発明の効果】
【００１６】
以上のように本発明によれば、データにより作成されるGUI上で、ユーザーが操作を行うことにより番組の予約が可能になるオブジェクトが存在する場合に、その番組がユーザーにとって予約する価値のある番組かを知ることが可能になる。
【発明を実施するための最良の形態】
【００１７】
以下、本発明による実施の形態を、図面を用いて詳細に説明する。
【実施例１】
【００１８】
本発明にかかる第一の実施の形態を図１に示す。
図1に示すように、デジタル放送受信装置１００は、チューナー部１０１と、多重信号分離部１０２と、データ解析部１０３と、オブジェクト加工部１０４と、オブジェクト解析部１０５と、予約関連データ取得部１０６と、ユーザー嗜好判定部１０７と、ユーザー嗜好入力部１０８と、映像信号処理部１０９と、音声信号処理部１１０と、映像合成部１１１と、音声合成部１１２と、を備える。
【００１９】
放送信号がチューナー部１０１に入力され、選局、復調などのデジタル放送受信に必要な処理が行われ、映像信号、音声信号、データなどが多重化された信号が出力され、多重信号分離部１０２に入力される。多重信号分離部１０２では、多重化された映像信号、音声信号、データなどが分離され、分離されたデータはデータ解析部１０３に入力される。データ解析部１０３ではデータが解析され、GUIや効果音が出力され、オブジェクト加工部１０４に入力される。
【００２０】
前記データ解析部１０３とオブジェクト解析部１０５において、それぞれ別々にデータを解析してオブジェクトを処理するが、それぞれ同じアルゴリズムを用いて、全てのオブジェクトにオブジェクトIDを割り振る。
【００２１】
例えば、データの記述に存在するオブジェクト全てに対し、データに記述される順番でオブジェクトIDを１から順に振っていく。こうすることにより、オブジェクトIDが指し示すオブジェクトが一意に定まる。
【００２２】
前記オブジェクト解析部１０５がデータを解析した結果、オブジェクトのいずれかが、ユーザー操作により番組予約を行うことが可能なオブジェクト（以下、予約実行オブジェクト、例えば、BS/CSデジタル放送におけるBMLの記述を例にすると、カーソル等で選択し、「決定」操作を行うことによりepgReserve、epgRecReserveといった、特定の番組の予約操作を行う命令が実行されるオブジェクト）の場合、前記予約実行オブジェクトから予約可能な番組を一意に示すID（以下、番組ID。例えば、BS/CS放送の場合には、Event_idなど）とオブジェクトIDを関連付けて予約関連データ取得部１０６に通知する。
【００２３】
予約関連データ取得部１０６は前記通知を受けた番組の、特徴を示す情報（番組特徴情報）を取得する。例えば、番組名、登場人物、監督名、脚本家、その他のキーワードが番組特徴情報として挙げられる。番組特徴情報の取得方法としては、例えばBS/CSデジタル放送を例に挙げると、予約番組に関するEIT(Event Information Table)を取得して解析することにより、対象番組の番組特徴情報を取得することが可能になる。他にもインターネットからの番組特徴情報の取得などが考えられる。また、放送局側がデータを作成する際に、予約実行オブジェクトに予約可能な番組に対する番組特徴情報をあらかじめ記述しておき、受信装置側でその番組特徴情報を使用する方法も考えられる。
【００２４】
予約関連データ取得部１０６は前記オブジェクトIDと前記番組特徴情報を関連付けてユーザー嗜好判定部１０７に通知する。ユーザー嗜好判定部１０７は、予約関連データ取得部から取得した前記番組特徴情報と、ユーザー嗜好入力部１０８から取得した、ユーザーの嗜好を特徴づける情報（ユーザー嗜好情報）を比較し、前記ユーザー嗜好情報と、前記番組特徴情報が一致しているかどうかを、例えば０〜１００の間の数値（マッチングポイント）で判定する。マッチングポイントが大きいほどユーザーの嗜好と一致したとし、このマッチングポイントと前記オブジェクトIDを関連付け、オブジェクト加工部１０４に通知する。
【００２５】
ここでユーザー嗜好入力部１０８からユーザー嗜好判定部１０７に通知される前記ユーザー嗜好情報とは、例えばユーザーが登録したキーワードや、今までの視聴情報から計算されたユーザーが嗜好を示すキーワードと、それぞれのキーワードの重み付けなどが考えられる。
【００２６】
ユーザー嗜好判定部１０７の判定方法としては、単純にキーワードの一致数をマッチングポイントして計算する方法などが考えられる（例えばキーワードの一致数を20倍して、３つ一致の場合には60ポイント、5つ一致の場合には20倍して100ポイントなど）マッチングポイントと前記オブジェクトIDを受け取ったオブジェクト加工部１０４はマッチングポイントを元に、前記オブジェクトIDが示すオブジェクトの強調表示を行う。
【００２７】
例えば、対象オブジェクトの線の太さを強調する場合、マッチングポイントの中心値を５０とし、５０の場合には、線の太さを加工せずに元のデータにより指定される太さとし、それより大きい場合には線を太く加工し、それより小さい場合には、線を細く加工することが考えられる。また、透明度を加工する場合には、同様に中心値を５０とし、それより小さい場合には透明度を上げて透明にし、ある閾値以下の場合には完全に透明にすることが考えられる。
【００２８】
強調表示の方法としては、他にも輝度や色差の変化や、移動するオブジェクトであれば速度の変化、点滅が可能な場合には点滅速度の変化などが考えられる。
【００２９】
他にも、効果音を加工する場合には、現在出力されている効果音を、音程や音調を加工する方法や、ある閾値以上のマッチングポイントを持つ前記予約実行オブジェクトが存在する場合には特定の効果音を出力する等の方法が考えられる。また、GUIの加工と効果音の加工を組み合わせて行う方法も考えられる。
【００３０】
前記オブジェクト加工部１０４により加工されて出力されたGUI・効果音は、前記多重信号分離部１０２から出力された映像信号・音声信号が、それぞれ映像信号処理部１０９と音声信号処理部１１０によって処理され出力された映像・音声と、映像合成部１１１と音声合成部１１２により合成されて出力される。
【００３１】
このようにして、ユーザーの嗜好と一致した前記予約実行オブジェクトの強調表示を行う。
図２は本発明にかかる第１の実施の形態におけるTV画面表示の一例である。
２０１はTV画面全体を示し、TV画面上に予約実行オブジェクト２０２が存在しているとする。この状態では前記予約実行オブジェクト２０２は前記オブジェクト加工部１０４により加工が行われていない。前記予約実行オブジェクト２０２に対して、前記オブジェクト解析部１０５が解析を行った結果、予約実行オブジェクト２０２から予約可能な番組がユーザーの嗜好と一致した（マッチングポイントが高い）場合、２０３で示すTV画面となり、加工を行わない予約実行オブジェクト２０２に比べ、予約実行オブジェクト２０４は線が太く強調され、ユーザーが番組予約の興味を引かれる結果となる。
【００３２】
また、予約実行オブジェクト２０２に対して、前記オブジェクト解析部１０５が解析を行った結果、予約実行オブジェクト２０２から予約可能な番組がユーザーの嗜好と一致しなかった（マッチングポイントが低い）場合、２０５で示すTV画面となり、ユーザーの嗜好と一致しない予約実行オブジェクトは消去され、ユーザーは不要なオブジェクトに妨害されること無く、TVの視聴を行うことが可能になる。
【００３３】
図３は、オブジェクト解析部１０５のフローチャートである。
まずデータの記述上にある現在のTV画面に表示可能なすべてのオブジェクトに対して、前記オブジェクトIDを付加する（ステップS301）次にIDを付加した全てのオブジェクトに対して次々に処理を行う（ステップS302）。まず対象のオブジェクトに、予約を実行する命令が含まれている場合（ステップS303のYes）、予約の実行対象となる番組の番組IDを取得し、現在処理対象となるIDを持つオブジェクトと関連付ける（ステップS304）。対象のオブジェクトに予約を実行する命令が含まれていない場合には（ステップS303のNo）前記処理は行わない。
【００３４】
次に対象のオブジェクトにサブリンク（そのオブジェクトから参照可能なリンク先）が存在するか判定し、サブリンクが存在しない場合には（ステップS305のNo）次のオブジェクトの処理を行う。サブリンクが存在する場合には（ステップS305のYes）、そのサブリンクから参照可能なすべてのオブジェクトに対して処理を行う（ステップS306）。それぞれのサブリンクから参照できるすべてのオブジェクトに対して、予約命令が存在する場合には（ステップS307のYes）予約の実行対象となる番組の番組IDを取得し、現在処理対象のIDを持つオブジェクトと関連付ける（ステップS308）。対象のオブジェクトに予約を実行する命令が含まれていない場合には（ステップS307のNo）前記処理は行わない。上記処理を全てのサブリンクから参照できるオブジェクトに対して実行する（ステップS309）。また、全てのサブリンク上のオブジェクトに対して処理が終了した場合には、次のオブジェクトIDのオブジェクトに対して処理を行う（ステップS310）。
【００３５】
サブリンクは複数の階層に分かれている可能性があるが、すべての階層を参照する方法や、ある閾値以上に深い（複数回参照する必要がある）サブリンクは対象としない方法が考えられる。
【００３６】
以上の処理を行い、すべての予約実行オブジェクトのオブジェクトIDと、前記予約実行オブジェクトに関連付けられている番組IDを、前記予約関連データ取得部１０６に通知する。
【００３７】
図４に、サブリンクが存在する場合の、第１の実施の形態に係るTV画面表示の一例を示す。
この例では、TV画面４００全体にGUIが表示されており、映像４０１はTV画面の一部分に縮小表示されている。GUI上のオブジェクト（この場合はボタン）４０２、４０３、４０４は、ユーザーがカーソルなどで選択することにより、それぞれ、最新のニュース、天気予報、お勧め番組一覧が表示される。
【００３８】
ここで前記オブジェクト４０４を選択することにより、TV画面の表示はTV画面４１０となる。このTV画面では、オブジェクト４１２、４１３、４１４に、それぞれ番組Ａ、番組Ｂ、番組Ｃと書かれている。ここで前記オブジェクト４１２を選択することによりTV画面４２０が表示される。TV画面４２０では、ユーザーが選択した番組Ａの内容や放送時刻など詳細な説明が書かれており、ユーザーが「予約する」とかかれたオブジェクト４２２を選択することにより、番組Ａの番組予約が実行される。
【００３９】
ここで、第１の実施の形態に係るそれぞれのオブジェクトに対してのオブジェクト解析部の処理内容について説明する。
【００４０】
ここでは、番組Ａがユーザーの嗜好と一致しているとして説明する。
TV画面４２０を表示する際には、オブジェクト４２２から番組Ａが予約可能なため、前記オブジェクト４２２を強調表示する。TV画面４１０を表示する際には、オブジェクト４１２から予約可能な番組は存在しないが、サブリンクが存在するため、サブリンクの内容（TV画面４２０で表示される内容）について解析を行う。するとサブリンク内に、ユーザーの嗜好と一致した番組Ａが予約可能な前記オブジェクト４２２が存在するため、オブジェクト４１２を強調表示する。
【００４１】
TV画面４００を表示する際には、同様に前記オブジェクト４０４のサブリンクを解析し、オブジェクト４１２、４１３、４１４が存在することがわかる。再びオブジェクト４１２のサブリンクを解析すると、先ほどと同様に前記オブジェクト４２２から番組Ａが予約可能なことがわかるため、前記オブジェクト４０４を強調表示する。
【００４２】
このようにしてサブリンクが存在している場合のオブジェトの強調表示を行う。
前記オブジェクト４１３、４１４のサブリンクからも、同様に番組Ｂ、番組Ｃが予約可能な場合、この例では、前記オブジェクト４０４サブリンクから、番組Ａ、番組Ｂ、番組Ｃと複数の番組が予約可能となり、番組Ａ、番組Ｂ、番組Ｃの複数の番組特徴情報から、前記オブジェクト４０４を強調表示する必要がある。この場合、前記オブジェクト４０４を強調表示する最適な実施方法としては、全てのマッチングポイントの中でもっとも高い番組のマッチングポイントを元に強調表示を行う方法であり、サブリンクの中にユーザーの嗜好と合うオブジェクトが一つでも存在すれば、それを通知する構成であることが望ましい。
【００４３】
図５は本発明に係る第２の実施の形態に係るTV画面表示の一例である。
５０１はTV画面全体を示し、その画面上に、予約実行オブジェクト５０２が存在している場合を示している。予約実行オブジェクト５０２に対して、前記オブジェクト解析部１０５が解析を行った結果、予約実行オブジェクト５０２に予約を実行する命令が含まれていた場合、第１の実施の形態と同様に、予約の実行対象となる番組の前記番組特徴情報と前記ユーザー嗜好情報の前記マッチングポイントを計算する。前記オブジェクトIDとマッチングポイントが、前記オブジェクト加工部１０４に通知されることにより、TV画面５０３が表示される。
【００４４】
オブジェクト５０４はオブジェクト５０２と同様に表示されるが、TV画面上に前記オブジェクト加工部１０４によりオブジェクト５０５が新規に追加されている。ここでは前記マッチングポイントを点数表示している（この例ではマッチングポイントが９０）。
【００４５】
ここでは、オブジェクトの追加位置は、予約を実行する命令が含まれているオブジェクトの近辺としたが、点数表示を行うオブジェクトは別の位置に表示し、予約実行オブジェクトは強調表示する方法も考えられる。
【００４６】
本発明に係る第３の実施の形態について図６に示す。
図６のデジタル放送受信装置の構成において、第１の実施の形態と異なる点は、予約スケジュール管理部６０１が構成に加わる点である。
前記予約スケジュール管理部では、番組の予約情報が管理されている。
前記オブジェクト解析部１０５からオブジェクトIDと番組IDを受け取った前記予約関連データ取得部１０６は、まず受信した番組IDを持つ番組がすでに予約済みかを、前記スケジュール管理部６０１に確認する。前記番組が予約済みでない場合には、第１の実施の形態と同様に番組特徴情報の取得を行い、前記ユーザー嗜好判定部１０７に対してオブジェクトIDと前記番組特徴情報を通知する。
【００４７】
一方、前記番組が予約済みである場合には、前記番組特徴情報の取得を行わず、前記ユーザー嗜好判定部１０７に対して、オブジェクトIDと、そのオブジェクトIDから予約可能な番組が予約済みであることを通知する。前記ユーザー嗜好判定部１０７も同様に、対象オブジェクトIDから予約可能な番組が予約済みであることを、前記オブジェクト加工部１０４に通知する。オブジェクト加工部１０４は、受信したオブジェクトIDが示すオブジェクトから予約可能な番組が、予約済みであることを判定して処理を行う。
【００４８】
この場合は予約実行オブジェクトを選択して再予約を行う必要は無いため、予約を行うオブジェクトの消去や、透明度を上げて目立たなく表示する方法や、予約済みを示すメッセージを含んだオブジェクトの追加や、予約済みのオブジェクトは一定の色にする（例えば青や、元の色の補色など）方法などが考えられる。
【００４９】
以上、本発明の好適な実施形態及びその変形例について上記に示したが、これらは本発明の説明のための例示であって、本発明の範囲をこれらの実施形態のみに限定する趣旨ではない。
【図面の簡単な説明】
【００５０】
【図１】本発明の第１の実施形態に係るデジタル放送受信装置の構成を示すブロック図
【図２】図１に記載したデジタル放送受信装置において作成されるTV画面表示の一例
【図３】図１に記載のオブジェクト解析部の処理動作を示すフローチャート
【図４】図１に記載したデジタル放送受信装置において作成される、サブリンクが存在する場合のTV画面表示の一例。
【図５】本発明の第２の実施形態に係るTV画面表示の一例
【図６】本発明の第３の実施形態に係るデジタル放送受信装置の構成を示すブロック図
【符号の説明】
【００５１】
１００    デジタル放送受信装置全体
１０１    チューナー部
１０２    多重信号分離部
１０３    データ解析部
１０４    オブジェクト加工部
１０５    オブジェクト解析部
１０６    予約関連データ取得部
１０７    ユーザー嗜好判定部
１０８    ユーザー嗜好入力部
１０９    映像信号処理部
１１０    音声信号処理部
１１１    映像合成部
１１２    音声合成部
６０１    予約スケジュール管理部
【図１】
2006108829.tif 000003
【図２】
2006108829.tif 000004
【図３】
2006108829.tif 000005
【図４】
2006108829.tif 000006
【図５】
2006108829.tif 000007
【図６】
2006108829.tif 000008